(57)【要約】【課題】地下街、地下鉄の事故或いはビル火災など不測事態に対応した携帯用超小型酸素マスク・防毒マスク及び呼吸困難時に対応した超小型の応急処置マスクの提供するも、本発明では超小型酸素補給装置で酸素の発生量に限界があり更に効率の良い酸素発生剤の研究が待たれる。【解決手段】救急車の到着時間が年々遅れ平均が６分以上掛かる事が報告されていることから緊急の場合、有毒ガスの防具として効果を期待出来、初期段階の脳酸欠症を最小限に食い止めることが最悪の事態に対して自分の命を守る有効な手段となり得る事から、軽便でハンデイな超小型の酸素・防毒マスクの提供が望まれている。  発生時間を多くするには、超小型で容量に限界ある事から必要あれば本発明による超小型酸素発生装置を２個、３個と装着する方法可能である。【選択図】  図1
2007098004.tif 000002
【特許請求の範囲】
【請求項１】
超小型携帯酸素発生剤容器の保護カバーが緊急時の酸素吸入マスクにワンタッチで瞬時切り替え可能とした事を特徴とした酸素吸入マスク。
【請求項２】
請求項1記載の超小型酸素マスクで酸素発生剤容器を包み込む様に保護カバー・保護ケースと固定バンド（紐状）を樹脂ホック等介し保護カバーと連結してあり、固定結束バンドに腰ベルトを通し易い様バンド先端を樹脂ホックで止めてある構造で使用時耳掛け紐となるマスク装置。
【請求項３】
請求項2記載の容器カバーを反転させ凹状とし、即酸素吸入口となるマスク状で鼻孔及び口唇部に完全にフィットする様凹状マスク面の内側には両面テープを貼り付けも可能で,有害ガスの侵入する阻止を目的とした防護マスクを装備した事を特徴とする超小型酸素マスク。
【請求項４】
請求項３で口唇部及び鼻孔部にピッタリ粘着する事が可能であるが更に容器本体と防護カバーとが一体とし、バンド紐を通し脱落防止バンドのホックを自由に着脱可能で耳掛け紐が樹脂ホックを介し1本となり鉢巻状に後頭部で固定できる事を特徴とする超小型酸素マスク。
【請求項５】
酸素発生剤として過酸化ナトリュウム、水性溶剤としての水、触媒としてニ酸化マンガンを混合し酸素を発生させる発生剤をチュ−ブ状（例えばラミネートチュ−ブ）を超小型の装置の容器内に予め挿入して構成されていて容器の蓋を開けると同時に蓋を比較的小さい力で引っ張ることにより容器内部と蓋裏側から連結されたワイヤと結束させた針状突起の付いたパックホルダーでラミネートチューブパックを容器内部の針状突起とで瞬時にチューブの表面に穴が空け、酸素発生素剤が水と反応し酸素を発生させる事を特徴とする超小型酸素発生装置。
【請求項６】
請求項５で蓋の裏側より連結されたワイヤは柔軟性を持った太さで酸素発生剤のパックであるラミネートチュウブの着脱も簡単である上、このチューブの穴がフィルタ−の役目も果し急激な酸素の排出を調整する可能としたことを特徴とする発生装置。
【請求項７】
常時携帯に便利な腰ベルトの通し紐が装着され、平常は容器固定用に伸縮性のある紐状の2本で構成し両端には着脱容易可能な樹脂ホックに連結しているが、組合せ自由で、両耳掛け紐、或いは1本に連結を可能であることを特徴とする超伸縮自在のバンドの付いた装置。
【請求項８】
容器の蓋と連結しているワイヤ−状連結棒の垂直方向下方には容器口径に合せた中蓋が連関し、この中蓋は作動時ストッパーとしても利用可能で急激な流入を防止するフイルタ−をとなる中蓋装置。
【請求項９】
超小型酸素マスクであるが防毒ガスマスクと双方の役目を兼用出来、更に救急車到着までの応急マスクとして使用可能とした事を特徴とする超小型防毒ガスマスク・酸素マスク装置。
【請求項１０】
耳掛け紐と後頭部バンドを使い分けるのには樹脂ホックを従来の雄・雌構造のホックで容器とカバーを結束しているも本発明の酸素吸入マスクの固定に欠かせぬ雄・雌・雄（又は雌・雄・雌）構造の３重ホック（樹脂・金属）を使用することにより２本のリング状を作り左右の耳に分け掛ける事を可能とした三重構造の樹脂ホック。
【請求項１１】
請求項１０で示した構造で当該のマスクに限らず各種衣料類等・ベビー衣類などのツーピース以上すなわちスリーピース部材からなる衣類の連結に当該三重構造の樹脂ホックを利用した各種衣料類。
【発明の詳細な説明】
【技術分野】
【０００１】
本発明は、突発災害即ち地震・火災・地下鉄・地下街での災害等で安全な場所へ緊急避難する際、救援隊の到着時間までにガスにまかれたりして呼吸困難な状況の陥り脳酸欠で気絶した状況のまま死亡事故に繋がる。この様に死亡事故に至らない為の、一時的防毒マスク兼酸素マスクとして利用可能とした災害時の緊急避難マスクに関するものである。
【背景技術】
【０００２】
従来、携帯用マスクとしてばスプレー缶に充填された酸素ボンベのタイプともう一方では酸素発生剤と水を貯蔵する四角い容器と酸素を貯留する大きな袋を格納する為の比較的大きな矩形の容器に分かれており2層３層の構造のものが有るが、携帯に便利でコンパクトと云い難い又、酸素発生装置として水筒状長いの容器にマスクと繋ぐチューブ及び分解容器が必要とした例もある。この様に別々の部材で構成している関係から円筒状又は角型の容器では携帯には不向きと言わざるを得ない持ち運びに不便では常時携帯する事が出来無いのが実情で、パニック状態の中で準備に時間を要する事が緊急災害時は対応不可能で咄嗟の場合は役に立たないのが現状で有る。
【特許文献１】特開２００４−２７５８９４
【０００３】
近年はテロリストによる突発的な奇襲攻撃が多発しており、地下鉄・地下街・ビル火災など危険が何時起きるか予測がつかない状態が益々多くなる。
又、必ず起こると言われている地震の発生後、瓦礫の下敷き或いは火災時発生時、有害ガス等等不測の事態に対応出来るものが無く、現在のものの殆どが防災対策型緊急避難グッズとして持ち運び出来無いのが実情である為、この様な不測事故の犠牲者が後を断たないのが現実である。
【０００４】
災害時の犠牲者を最小限にする為には、絶えず身体に携帯出来る装置として腰ベルト或いはハンドバックなどに携行し自分自身を守る事が出来る緊急時の防毒ガスマスク・酸素マスクでありながら応急用に10分間程度の呼吸が可能な超小型のマスクが求められている。
【０００５】
この為国を挙げて、国民一人一人に緊急避難用超小型の酸素・防毒マスクの携帯を関係省庁・自治体が一体となって指導に注力すれば災害時の死亡事故が大幅に減ることが期待される。
又、飛行機で海外に出張する際も、観光で出かける時も、携行すれば国民の生命と財産を守る事になると期待できる。
【０００６】
これらを鑑み本発明はこれらの具体的な事柄の解決に向け国民の生命と財産を守ることを前提とした「緊急避難用酸素マスク・防毒ガスマスク」を携帯に便利な超小型を実現する事によりポケットサイズのハンデイな緊急避難マスクで環境に配慮したリサイクル、リユースを考慮した簡単な構造に必要となっている。
【発明の開示】
【発明が解決しようとする課題】
【０００７】
従来の比較的小型の装置で酸素を貯留する袋を格納する矩形のボックスが必要なタイプと、或いはスプレー式のボンベ等有るが、円筒状・角型で付属部材が多いことから、絶えず携行するには不便で咄嗟の場合、地震やビル火災、地下鉄、地下街などの火災に発生した有害なガスが充満する場所から脱出するための緊急の応急用とグッズとして常時携行が便利な超小型でハンデイな装置が必要である。
【課題を解決するための手段】
【０００８】
上記課題を解決するための手段として軽便で取出し易く且つ絶えず携行を可能にする為嵩張らず、邪魔にならず、角張らずコンパクトなウエストポーチタイプで絶えず腰ベルト等で帯同が可能とした。タバコケース程度の大きさを可能としたのでワイシャツの内ポケットにも挿入を出来る超小型を実現した。
尚、薄型で超小型の為、婦女子の小さなハンドバックに入る程度のコンパクトサイズで、取付けおよび取外しが簡単、添付する余分な付属部品が無いので、小学生・中学生なども防災対策として腰紐又は腰ベルトにまき付ける事を指導すれば更に児童の生命と防毒ガスマスクとして脳酸欠死などの安全性を高める事が可能である。
【０００９】
災害時応急処置的に対応可能な腰ベルト或いは身体に絶えず装着していれば突発の事態の緊急を要するあらゆる災害にも対処可能であるため室内・室外問わず、地下鉄・飛行機などの乗り物の中でも使用できる。
【００１０】
この場合の酸素発生剤として過炭酸ナトリューム、水性溶媒として、水の触媒としての二酸化マンガンを混合することで酸素を発生させる技術は従来の技術に関する装置であるがプラスチック素材で成形された容器１０に弾性体からなるマスク１３に相当するマスク状を反転させた形態で容器にカバー状装着された構造で構成されている、凹面状のマスクが粘着面を持った弾性素材で顔面の鼻腔口部に密着する構造としている。
【００１１】
地下街・地下鉄などでの災害時に場所を選ばず脱着が可能であるが、酸素パウダーの化学反応で新鮮且つクリーンな酸素が供給できる携帯可能装置。
【発明の効果】
【００１２】
外国ではテロリストによる自爆テロ等、奇襲攻撃が多発しており、地下鉄・ビル災害など何時起きるか予測がつかない、又地震等の不測の事態に対処した、防災形緊急避難グッズとして持ち運びがし易いように腰周り、胸ポケット或いはハンドバックなどに帯同し、自分の身を守る為には常時持ち歩くことが、緊急時の応急酸素マスクとして超小型のマスクが必要不可欠でその効果絶大と期待出来る。
【００１３】
また携帯に便利となればビジネス、観光でも海外に出かける場合安心して携行出来る為、災害時の死亡事故が急激に減ることが予想される。
【００１４】
以上の説明したように、本発明の効果は超小型ウエストポーチ形、且つ吸入マスクに即対応が可能であることより地下鉄、電車・ビル内・地下街・ショッピングセンターなどあらゆる場所に対応した、防毒マスク・酸素マスクで地震の際、避難に最小限の応急措置が可能で災害時死亡事故が極端に減る事が期待できる。
又、マスク構造で酸素の漏れ・防毒ガスマスクとしての機能をより効果的にする為の結束固定方法について新構造の３重ホックの発明により結束バンドが左右の耳掛け紐・バンドに、更には１本に繋ぎ後頭部からの固定バンド・紐にも出来る。
【００１５】
一方、地下火災・個人住宅火災の際等で有毒ガス発生した場合に酸欠状態に陥った場合にも応急的に使用すれば脳酸欠症の大半が救われる事が可能となることより、もはや不測事故は最小限自分で自分の身を守る事が今後益々の重要で有ろうと考えられる。
【００１６】
救急車の出動到着時間にしても年々遅くなって、平均6分以上掛かる事が発表されていることから、全国民の身を守る為の必携のグッズとして期待出来る。
【発明を実施するための最良の形態】
【００１７】
以上の説明よりどこかに一定の場所に設置して有ってもいざ災害発生時間に合うとは限らず、携行を義務化すれば災害時、例えば瓦礫の下敷きになっても救出までの数分間（5〜10分）の呼吸維持する為の軽便なものでの対応が有害ガスから時をかせぎ身を守ることが重要である。
【実施例１】
【００１８】
本発明の実施形態について図面に基づいて説明する。
図１は、超小型酸素発生装置を腰ベルト１８に装着した場合であるが、タバコケースサイズでありワイシャツ胸ポケット・ハンドバックに入るサイズでありその平面図、側面図を示す。
図２は、超小型酸素発生装置容器本体１０の固定バンド１４に腰ベルト１８を通し装着した場合の1例であり形体図を示す。
図３は、発生装置の各部品の断面図であって容器本体１０の容器内に突起物針状１０ａを数ヶ所設け、図中１２はで酸素発生する容器１０を支える保護バックを示し、容器本体１０を支える保護バック１２と樹脂ホック１２ａを備え、又防護カバー兼マスク１３には１３ｂのフック・１３ａのホックを備えている。
図４は、超小型酸素発生容器に酸素発生剤のパウダーパック（例えばラミネートチューブ）と蓋付き挿入台を挿入する実施例の断面図を示す。  図中１１は蓋（樹脂キャップ）でこの蓋11の内側下方に連結棒１１ａを一体成形している。連結棒の先端には容器口径部１０ｂに蓋兼フイルタ−の役目をする１７と酸素発生剤のパウダーパック１６及びパックホルダー１５を装着し脱落しない様に１１ａの連結棒を１１ｂ、１１ｃで変形させ固着している。
図５は、超小型酸素発生容器本体１０の容器本体口径部１０ｂより図４で示した組付け部材１５、１６を傾斜しながら挿入する手順の例を示す。
図６は、図５の示した状態に加え更に容器内に酸素パック１６を挿入される形態図を示している。
図７は、図５で示した状態から容器防護カバー兼マスク１３を表裏反転させ挿入する状態の断面図を示す。
図８は、酸素発生部剤を挿入後容器内に容器本体口径部１０ａより分解液としての水１７を注入した形態の断面図を示す。
図９は、キャップ（蓋）１１をネジ締めした締め付け状態を示す発生装置の容器の完成の断面図である。
【実施例２】
【００１９】
図１０は、固定バンド１４を樹脂ホック１４ａと保護バック１２の樹脂ホック１２ａにマスクのフック部１３ｂを介しタスキ掛けとし容器１０と保護バック１２と防護マスク１３とを完全に結束した超小型酸素発生装置の完成品としての平面図である。
図１１は、超小型酸素発生装置で応急使用時まず結束バンド１４のホック１４ａを外しマスク部１３のヘリ１３ａを摘んで逆転（ヒックリ返し）する状態で上方に引っ張る動作で完全に口唇部・鼻孔部へと当てがい、マスクカバーに変身させる形体図を示す。又、この際口唇部・鼻孔部に当該する凹状の内面には両面テープを最初から付着させておけば、テープ表紙を剥がせば口唇部完全に密着し外部からの有害ガス等は吸入出来無い様にする事可能である。
図１２は、容器内で酸素発生時の状態の断面図であって酸素発生装置の凹状マスクカバー１３とし使用状態より樹脂キャップ１１のネジ部１１ｄを緩め樹脂キャップ１１を引っ張り容器内の針状突起１０ａに酸素発生剤の混入しておるチュウーブ状１６をパウダーパック固定台１５の突起部１５ａで酸素発生剤入りパック１６の平面部１６ａに酸素発生容器１０に形成された突起部１０ａとパウダーパック固定台１５に形成された針状突起部１５ａの間でパウダーパック１６の表裏に微細な穴を空け除々酸素発生剤を溶解液１７に浸透するように構成し溶解液との化学反応で酸素が発生し空気中の酸素濃度を脳酸欠状態至らない適度（16％程度）にする調整する機構を持つ酸素発生装置の機構を示す。
図１３は、使用状態の断面図であって図１２で示した状態から酸素フィルタ兼ストッパー１７と容器本体１０の口径部１０ａとストッパー部１７ｂで固着される。この際樹脂キャップ１１を垂直に引っ張ることにより連結棒のくびれ部１１ｂで切断分離されて初めて吸入マスク部１３を口唇部・鼻孔部をあてがい酸素の吸入を始めること可能となる。
図１４、では酸素を吸入する為、図１３で構成された吸入マスク１３を口・鼻孔部に当て緊急を要する場合固定バンド紐なし状態のまま手で押え、鼻孔部にピッタリ装着し吸入を開始した形体図を示す。
【実施例３】
【００２０】
図１５では、１４のバンド兼耳掛け紐の１４ａをマスクホック部１３ａに雄・雌ホックで止めて耳掛け紐として利用した実施例を示す。
図１６では、固定バンド１４の2本をホック１４ａと１４ｂで雄・雌ホックで止め結束し1本のバンドを図１７に示す輪状態を作り、後頭部にこの輪状態のまま固定した酸素吸入マスク状態の実施例を示す。
図１７では、１６で示した固定バンドを後頭部に固定した状態で1本の環状紐に組み合わせた実施例の1つと左右ニ本で耳掛け紐１４を示す、この際マスク部１３とバンド紐１４を連結する手段として新発明の三重構造の樹脂ホックを連結した部分を拡大して示す。
図１８は、従来の樹脂ホックの断面図であって、二重構造の組立品２０でホックＡ２０ａとキャップ２０ｄで取付けバンド２０ｆ（テープ・布・ゴム等）を挟み込んでキャップ２０ｄの先端をカシメ行い一体化する、もう一方Ｂ型ホック２０ｂとキャップ２５ｄで同様に取付けバンド２０ｆ（テープ・布・ゴム等）を挟み１５で示した。
図１９では、バンド兼耳掛けを酸素吸入マスクのバンドを連結する本件に派生的発明に至った３重構造の樹脂ホック断面図を示す。
【実施例４】
【００２１】
この場合は図１８で示した二重構造の在来型Ｂ型ホック２０に対し、酸素吸入マスクのホック部１３ａにＣ型ホック２０ｃとＢ型凸ホック２０ｂで連結部材２０ｆを挟み込んで２０ｃの先端カシメ固定するもスリーピースの部材を連結し完成させる構造である。他は図１８と同じ方法で組み付け簡単に完成する。ここで派生的に発明至った三重構造の樹脂ホックでは有るが、通常に使用すれば雄(凸)ホックと雌（凹）ホックを連結し１本に連結した状態で後頭部バンドにも切り替え出来る事を完成した。ここでは酸素マスク或いは防毒マスクに採用しているが、この三重構造のＣ型ホックは一般的な衣類・カバン他ベビー用品等に代表される複雑な３ピースの部材を連結するのに応用出来る。
【産業上の利用可能性】
【００２２】
諸外国のテロリストの奇襲攻撃が日本でも同様な事態が警戒されており、地下鉄、ビル災害など危険が何時起きるか予測がつかない状態が今後益々多くなる。このよう社会情勢の背景の中、不測事態に対処した、防災形緊急避難グッズとして持ち運びがし易いように腰周り・内ポケットまたはハンドバックなどに携帯電話と同様に常時持ち歩くことが出来れば防災のグッズとして、国内、国外問わず携行を指導・教育すれば自分自身での生命が守る事が可能になる。
【００２３】
海外にビジネスで出張・観光で出かける場合も、携行すれば不測の事態に対処出来るし諸外国の範となる事が期待できる。
【００２４】
一方携行に便利になれば心臓病、ぜんそく等持病の方の緊急応急として、交通事故等の呼吸困難時周囲の人が本人の小型酸素マスクを取出し応急措置が可能である。
例えば救急車の平均到着時間6分余りの間に超小型酸素吸入器があれば待ち時間による救急医療活動の死亡事故を半減することが可能である。
【００２５】
又この発明の中で考案されたマスクバンド（紐等）の連結の方法で三重構造のホックの提案をしているが、衣類分野でも幼児衣類の止め具、他各種衣料の連結に幅広く利用可能である。
【図面の簡単な説明】
【００２６】
【図１】超小型酸素発生装置の平面図と側面図である。
【図２】超小型酸素発生装置を腰ベルトに挿入した形態図を示す。
【図３】超小型酸素発生装の発生容器・防護マスク・保護カバーの断面図である。
【図４】酸素発生剤のパウダーパックと蓋・連結棒の断面図である。
【図５】酸素発生容器にパウダーパックを傾斜しながら挿入する形態図を示す。
【図６】酸素発生容器内に図5の状態に更に内部挿入した形態図を示す。
【図７】容器防護カバー兼マスク反転させ挿入する断面図である。
【図８】酸素発生部剤の挿入後分解液を注入した状態図を示す。
【図９】超小型酸素発生装置の密閉した断面図である。
【図１０】超小型酸素発生装置の完成品状態の平面図を示す。
【図１１】超小型酸素発生装置で応急時マスクカバーに変身する途中状態を示す。
【図１２】超小型酸素発生装置の防護マスクの完成状態図を示す。
【図１３】キャップと連結棒の切断・分離し酸素の発生器の使用状態図を示す。
【図１４】鼻孔部にピッタリ装着し吸入を開始後の形体図を示す。
【図１５】耳掛けバンド・紐を掛けた状態図を示す。
【図１６】固定バンド・紐を後頭部に装着した実施例を示す。
【図１７】固定バンド・紐を還状に１本及び２本の実施例を示す。
【図１８】従来の二重構造の樹脂ホック断面図示す。
【図１９】本発明で派生的に発明した三重構造の樹脂ホックの断面図である。
【符号の説明】
【００２７】
１０  酸素発生の容器本体（PET等）。
１０a容器本体内部の針状突起物。
１０ｂ容器本体口径部。
１１  容器の蓋となる連結棒付き樹脂キャップ。
１１ａ  連結棒。
１１ｂ連結棒くびれ部
１１ｃ連結棒の噛み潰し部
１２  保護バック
１２ａ樹脂ホック。
１３  防護カバー（兼反転時マスク）。
１３ａホック（通常樹脂）。
１３ｂ固定バンドフック。
１３ｃカバーマスク部。
１３ｄ防護カバー端部。
１３ｅホック（通常樹脂）。
１４  結束固定バンド（兼耳掛け紐）。
１４ａ樹脂ホック。
１５  パウダーパックホルダー。
１５ａ針状突起物。
１５ｂ連結孔。
１６  酸素発生剤入りパック（ラミネートチューブ状）。
１６ａ位置決め孔。
１７  酸素調整フイルタ−（兼蓋・ストッパー）
１７ａ酸素供給孔。
１７ｂストッパー部。
１８  分解液（水）。
１９  ベルト又紐状。
２０  ホック樹脂全体図。
２０ａＡ型凹ホック
２０ｂＢ型凸ホック。
２０ｃＣ型凹ホック。
２０ｄエンドキャップ。
２０ｅ取付けバンド（紐状）。
２０ｆ保護マスクカバー・バンド。
【図１】
2007098004.tif 000003
【図２】
2007098004.tif 000004
【図３】
2007098004.tif 000005
【図４】
2007098004.tif 000006
【図５】
2007098004.tif 000007
【図６】
2007098004.tif 000008
【図７】
2007098004.tif 000009
【図８】
2007098004.tif 000010
【図９】
2007098004.tif 000011
【図１０】
2007098004.tif 000012
【図１１】
2007098004.tif 000013
【図１２】
2007098004.tif 000014
【図１３】
2007098004.tif 000015
【図１４】
2007098004.tif 000016
【図１５】
2007098004.tif 000017
【図１６】
2007098004.tif 000018
【図１７】
2007098004.tif 000019
【図１８】
2007098004.tif 000020
【図１９】
2007098004.tif 000021